(57)【要約】【課題】  食肉処理装置からコントローラへデータを自動的に転送する。【解決手段】  本発明は、データを表示するタッチスクリーンまたはＰＬＣを有する器具から、データをダウンロードするデバイスを備えている。このデバイスは、タッチスクリーンまたはＰＬＣと関連して動作する携帯型制御ユニットを備え、タッチスクリーンまたはＰＬＣに表示されたデータは、デバイスへダウンロードされ、デバイスのデータは、パーソナルコンピュタへ転送されて、表示されたり印刷されたりする。また、本発明は、タッチスクリーンまたはＰＬＣを有する器具から、携帯型制御ユニットを介して、パーソナルコンピュタへデータをダウンロードし、データを表示したり印刷する方法にも関する。【選択図】        図１
2007510227.tif 000002
【特許請求の範囲】
【請求項１】
装置からデータをダウンロードする方法であって、
装置と関連して動作する中継デバイスを選択的に駆動して、装置から中継デバイスへデータを転送し、
表示されるべき転送データを、標準フォーマットに変換するステップを含んでいる方法。
【請求項２】
装置は、食肉処理装置である、請求項１記載の方法。
【請求項３】
転送データを、稼働時間、設定圧力、データを収集したオペレータのイニシャル、製品名、製品を用いた調理法及び食肉処理データから選択するようになっている、請求項１記載の方法。
【請求項４】
データをコントローラへ転送するステップをさらに含んでいる、請求項１記載の方法。
【請求項５】
装置からのデータをダウンロードするシステムであって、
装置と関連して動作し、装置からのデータが転送される中継デバイスを備え、中継デバイスは、表示されるべき転送データを、標準フォーマットに変換するようになっているシステム。
【請求項６】
装置は、食肉処理装置である、請求項５記載のシステム。
【請求項７】
転送データを、稼働時間、設定圧力、データを収集したオペレータのイニシャル、製品名、製品を用いた調理法及び食肉処理データから選択するようになっている、請求項５記載のシステム。
【請求項８】
中継デバイスと関連して動作するコントローラをさらに備えている、請求項５記載のシステム。
【発明の詳細な説明】
【技術分野】
【０００１】
本発明は、データを出力するシステムに関し、特に、食肉処理装置から、携帯装置または遠隔の装置にデータをダウンロードし、次いで、データをパーソナルコンピュータ（ＰＣ）等のコントローラへ送り、レポートを出力させる方法及びシステムに関する。
【背景技術】
【０００２】
工場内において、食肉処理装置のレポートを出力する際、オペレータは、食肉処理装置のモニタまたはタッチスクリーンを見て、食肉処理装置に関するデータを読んで書き留め、それをＰＣに物理的に入力する必要がある。このような手による作業によると、データを書き留める際に人為的エラーが発生するおそれがあり、また、オペレータは、モニタを絶えず見続けて、ＰＣにデータを入力しなければならない。
【０００３】
そのため、従来より、食肉処理装置からコントローラへデータを自動的に転送する器具が求められている。この器具は、食肉処理装置のデータを、ＰＣ等の他のソースに転送する中継用として用いられるものである。
【発明の開示】
【発明が解決しようとする課題】
【０００４】
この器具は、次のような特徴を有していることが必要である。
１．データを、ＰＣ等のコントローラへ転送することができる。
２．データを、コントローラから印刷して送り出すことができる。
３．プラント内にある多くの食肉処理装置からのデータを取り込むことができる。
４．携帯型ユニットまたは遠隔装置を、特定の食肉処理装置の専用とすることができる。
５．タッチスクリーン等のディスプレイからの追加的なデータである時間や設定圧力、データを集計したオペレータのイニシャル、製品名、調理法等を転送することができる。
【０００５】
従って、本発明の第１の目的は、食肉処理装置から中継デバイスにデータをダウンロードし、中継デバイスにより、コントローラへデータを転送できる方法を提供することにある。
【０００６】
本発明の第２の目的は、食肉処理装置から中継デバイスへデータを送り、中継デバイスにより、データを印刷するコントローラへデータを転送できるシステムを提供することにある。
【０００７】
本発明の第３の目的は、プラント内にある多くの装置から、データを引き出すことができる中継デバイスを提供することにある。
【０００８】
本発明の第４の目的は、データが送られる特定の食肉処理装置に適する中継デバイスを提供することにある。
【０００９】
本発明の第５の目的は、ディスプレイに表示される稼働時間、設定圧力、データを集めたオペレータのイニシャル、製品名、調理法、またはその他のデータを出力できる手持ち可能な中継デバイスを提供することにある。
【００１０】
本発明の上述した目的、特徴、及び利点は、明細書及び特許請求の範囲から明らかになると思う。
【課題を解決するための手段】
【００１１】
本発明は、例えば無線または結線された装置からのデータをダウンロードし、所定のデータを出力させる方法及びシステムに関する。
【００１２】
本発明の特徴は、次の如くである。
１．システムは、装置のデータを、携帯型デバイスのような中継デバイスへダウンロードまたは転送する。
２．中継デバイスのデータを、コントローラへダウンロードする。
３．データを、ドキュメントまたはレポートとして表示する（データは、タッチスクリーン上に、マネージメントインフォメーションスクリーン「Management Information Screen」として表示されるデータからなる）。
４．装置から携帯型デバイスへデータを転送する方法は、任意かつ非限定的に、赤外線（ＩＲ）転送、高周波（ＲＦ）転送、及びケーブル接続転送を含んでいる。
【発明を実施するための最良の形態】
【００１３】
図１は、本発明におけるデータ出力システムを示す。データ出力システムは、データを表示するタッチスクリーンまたはＰＬＣ（１４）のようなディスプレイを有する少なくとも１つの器具（１２）を備えており、また、タッチスクリーン（１４）と関連して動作し、選択的に駆動されて、タッチスクリーン（１４）からデータをダウンロードする携帯型制御ユニットのような中継デバイス（１６）を備えている。
【００１４】
中継デバイス（１６）は、スクリーン（１８）を備えており、器具（１２）からの転送されるべきデータが、オペレータに示される。中継デバイス（１６）は、出力されるべきデータを印刷するプリンタ（２２）を有するパーソナルコンピュタ（ＰＣ）（２０）のような少なくとも１つのコントローラに、器具（１２）からのデータを転送する。
【００１５】
器具（１２）からデータをダウンロードするためには、作動中に、中継デバイス（１６）が用いられる。中継デバイス（１６）は、タッチスクリーン（１４）と関連して作動し、選択的に駆動され、タッチスクリーン（１４）からのデータをＰＣ（２０）にダウンロードする。転送されたデータは、ＰＣ（２０）のモニタに表示され、プリンタ（２２）により印刷される。このようにして、データは、中継デバイス（１６）を介して、タッチスクリーン（１４）からＰＣ（２０）へ転送される。
【００１６】
器具（１２）は、食肉処理装置であり、データはタッチスクリーン（１４）上に表示される。器具（１２）の全稼働時間、設定圧力、データを集めたオペレータのイニシャル、製品名、製品を用いた調理法、または処理済みの食肉製品に関するその他のデータ等が処理される。中継デバイス（１６）を、ＰＣ（２０）に結線したり、または無線で接続できることは、当業者には明らかであろう。中継デバイス（１６）をタッチスクリーン（１４）に結線してもよい。
【００１７】
また、中継デバイス（１６）を、ＰＣ（２０）と関連するＰＡＬＭユニットとし、補助ポートまたはＩＲデータポートに結線することができる。中継デバイス（１６）は、器具（１２）のデータを、標準フォーマットであるExcel、Word、Lotus、WordPadに変換して、ダウンロード可能である。このデータは、表示されるか、印刷されるのみであり、操作不可能である。
【００１８】
データが、中継デバイス（１６）からＰＣ（２０）にダウンロードされると、データは、表示されたり、ドキュメントやレポートとして印刷されることが、当業者には明らかであると思う。また、このデータは、中継デバイス（１６）のスクリーン（１８）に「Management Information Screen」と表示される場合があることは、当業者には明らかと思う。
【００１９】
さらに、器具（１２）のタッチスクリーン（１４）から、中継デバイス（１６）へデータを転送する数多くの方法があることは、当業者には明らかであると思う。これらの方法は、非限定的に、赤外線転送、高周波転送、ケーブル接続転送を含むものである。
【００２０】
さらに、中継デバイス（１６）を、特定の器具（１２）の専用としたり、プラント内の多くの装置からのデータを受信できるようになっていることは、当業者には明らかであると思う。例えば、６つの装置が、中継デバイス（１６）に同時にデータを転送できるようになっている。中継デバイス（１６）は、複数の異なるＰＣ（２０）にデータを転送できることは、当業者には明らかであると思う。このようにして、上述した全ての目的が達成される。
【００２１】
本発明の範囲から逸脱することなく、種々の変更を行うことができることは、当業者には明らかであると思う。これら全ての変更及び変形は、特許請求の範囲内に含まれ、保護されるべきものである。
【図面の簡単な説明】
【００２２】
【図１】本発明によるシステムの概略図である。
【図２】本発明によるシステムのブロック図である。
【符号の説明】
【００２３】
１２      機器
１４      タッチスクリーン
１６      中継デバイス
１８      スクリーン
２０      パーソナルコンピュタ
２２      プリンタ
【図１】
2007510227.tif 000003
【図２】
2007510227.tif 000004
【手続補正書】
【提出日】平成18年6月29日(2006.6.29)
【手続補正１】
【補正対象書類名】特許請求の範囲
【補正対象項目名】全文
【補正方法】変更
【補正の内容】
【特許請求の範囲】
【請求項１】
食肉処理装置（１２）からのデータをダウンロードする方法であって、
食肉処理装置（１２）を設け、
食肉処理装置（１２）と関連して動作する中継デバイス（１６）を設け、
中継デバイス（１６）を選択的に駆動し、食肉処理装置（１２）から中継デバイス（１６）へデータを転送し、
表示されるべき転送データを、標準フォーマットに変換するステップを含むことを特徴とする方法。
【請求項２】
転送データを、稼働時間、設定圧力、データを収集したオペレータのイニシャル、製品名、製品を用いた調理法、及び食肉処理データから選択するようになっていることを特徴とする、請求項１記載の方法。
【請求項３】
データをコントローラへ転送するステップを、さらに含むことを特徴とする、請求項１記載の方法。
【国際調査報告】
2007510227.tif 000005
2007510227.tif 000006
2007510227.tif 000007